【手続補正書】
【提出日】平成19年5月10日(2007.5.10)
【手続補正１】
【補正対象書類名】明細書
【補正対象項目名】特許請求の範囲
【補正方法】変更
【補正の内容】
【特許請求の範囲】
【請求項１】  情報信号の復調において、情報信号はチャンネル特性を有するチャンネルを通って受信され、情報信号はパイロット信号と、第１のデータ伝播信号と、第２のデータ伝播信号とを含んでおり、前記方法は、
パイロット信号に基づいてチャンネル特性の第１の評価を行ってパイロットチャンネル評価を行い、
第１のデータ伝播信号に基づいてチャンネル特性の第２の評価を行ってデータチャンネル評価を行い、
前記パイロットチャンネル評価と前記データチャンネル評価とを組合わせて、組合されたチャンネル評価を行うステップを含んでいる方法。
【請求項２】  組合されたチャンネル評価にしたがって、情報信号のスカラー投影を行う請求項１記載の方法。
【請求項３】  さらに、情報信号を擬似雑音デスプレッドする請求項１記載の方法。
【請求項４】  擬似雑音デスプレッドは複素数擬似雑音デスプレッドである請求項３記載の方法。
【請求項５】  前記第２の評価は、パイロットチャンネル評価にしたがって情報信号のスカラー投影を行うステップを含んでいる請求項１記載の方法。
【請求項６】  前記第２の評価はさらに、第１のデータ伝播信号の理想的な表示を生成するステップを含んでいる請求項５記載の方法。
【請求項７】  前記理想的な表示の生成は、
前記第１のデータ伝播信号をデインターリーブして、デインターリーブされた信号を生成し、
デインターリーブされた信号をインターリーブするステップを含んでいる請求項６記載の方法。
【請求項８】  前記理想的な表示の生成は、
第１のデータ伝播信号をデコードしてデコードされた信号を提供し、
そのデコードされた信号をエンコードするステップを含んでいる請求項６記載の方法。
【請求項９】  さらに、パイロットチャンネル評価に遅延を導入して、パイロットチャンネル評価とデータチャンネル評価の間で同期を行うステップを含んでいる請求項１記載の方法。
【請求項１０】  前記結合は、
パイロット乗数によって前記パイロットチャンネル評価を乗算してスケールされたパイロットチャンネル評価信号を生成し、
データ乗数によって前記データチャンネル評価を乗算してスケールされたデータチャンネル評価を生成し、
前記スケールされたパイロットチャンネル評価信号を前記スケールされたデータチャンネル評価と加算して前記結合されたチャンネル評価を生成する請求項１記載の方法。
【請求項１１】  前記データ乗数に対する前記パイロット乗数の比は前記第１のデータ伝播信号の送信に使用される利得に対するパイロット信号の送信に使用される利得の比に基づいている請求項１０記載の方法。
【請求項１２】  さらに、パイロット乗数とデータ乗数を生成するステップを含んでいる請求項１０記載の方法。
【請求項１３】  第１のデータ伝播信号のデータ速度に基づいて、パイロット乗数とデータ乗数との比を変化するステップを含んでいる請求項１０記載の方法。
【請求項１４】  第１のデータ伝播信号のフレーム品質計量に基づいて、パイロット乗数とデータ乗数の比を変化させるステップを含んでいる請求項１０記載の方法。
【請求項１５】  前記第１の評価は情報信号を濾波して、パイロットチャンネル評価を行うステップを含んでいる請求項１記載の方法。
【請求項１６】  前記第１の評価はさらに情報信号を基準パイロットコードにより乗算するステップを含んでいる請求項１５記載の方法。
【請求項１７】  前記第２の評価は、
パイロットチャンネル評価にしたがって、情報信号の投影を行い、スカラー情報信号を提供し、
スカラー情報信号をデコードしてデコードされた信号を提供し、
デコードされた信号をエンコードして、第１のデータ伝播信号の理想的な表示を提供し、
情報信号を理想的な表示により乗算して、データチャンネル評価を行うステップを含んでいる請求項１記載の方法。
【請求項１８】  前記第２の評価はさらに、前記デコードの前にスカラー情報信号をデインターリーブし、前記乗算の前に理想的な表示をインターリーブするステップを含んでいる請求項１７記載の方法。
【請求項１９】  情報信号の復調装置において、情報信号はチャンネル特性を有するチャンネルを通って受信され、情報信号はパイロット信号と、第１のデータ伝播信号と、第２のデータ伝播信号とを含んでおり、前記装置は、
受信されたパイロット信号に基づいてチャンネル特性の評価を行ってパイロットチャンネル評価を行う第１の評価手段と、
第１のデータ伝播信号に基づいてチャンネル特性の評価を行ってデータチャンネル評価を行う第２の評価手段と、
前記パイロットチャンネル評価と前記データチャンネル評価を組合わせて、組合されたチャンネル評価を行う手段を具備している装置。
【請求項２０】  さらに、組合されたチャンネル評価にしたがって、情報信号のスカラー投影を生成する手段を具備している請求項１９記載の装置。
【請求項２１】  さらに、情報信号を擬似雑音デスプレッドする手段を具備している請求項１９記載の装置。
【請求項２２】  さらに、情報信号を複素数擬似雑音デスプレッドする手段を具備している請求項１９記載の装置。
【請求項２３】  前記第２の評価手段は、パイロットチャンネル評価にしたがって情報信号のスカラー投影を生成する手段を具備している請求項１９記載の装置。
【請求項２４】  前記第２の評価手段はさらに、第１のデータ伝播信号の理想的な表示を生成する手段を具備している請求項２３記載の装置。
【請求項２５】  前記理想的な表示の生成手段は、
第１のデータ伝播信号をデインターリーブして、デインターリーブされた信号を提供する手段と、
デインターリーブされた信号をインターリーブする手段とを具備している請求項２４記載の装置。
【請求項２６】  前記理想的な表示の生成手段は、
第１のデータ伝播信号をデコードしてデコードされた信号を提供する手段と、
デコードされた信号をエンコードする手段とを具備している請求項２４記載の装置。
【請求項２７】  さらに、パイロットチャンネル評価に遅延を導入して、パイロットチャンネル評価とデータチャンネル評価との間の同期を行う手段を具備している請求項１９記載の装置。
【請求項２８】  前記結合する手段は、
パイロット乗数によって前記パイロットチャンネル評価を乗算してスケールされたパイロットチャンネル評価を生成する手段と、
データ乗数によって前記データチャンネル評価を乗算してスケールされたデータチャンネル評価を生成する手段と、
前記スケールされたパイロットチャンネル評価を前記スケールされたデータチャンネル評価と加算して前記結合されたチャンネル評価を生成する手段とを具備している請求項１９記載の装置。
【請求項２９】  さらに、パイロット乗数とデータ乗数とを生成する手段を具備している請求項２８記載の装置。
【請求項３０】  第１のデータ伝播信号のデータ速度に基づいて、パイロット乗数とデータ乗数の比を変化させる手段を具備している請求項２８記載の装置。
【請求項３１】  さらに、第１のデータ伝播信号のフレーム品質計量に基づいて、パイロット乗数とデータ乗数の比を変化させる手段を具備している請求項２８記載の装置。
【請求項３２】  前記第１の評価手段は情報信号を濾波して、パイロットチャンネル評価を行う手段を具備している請求項１９記載の装置。
【請求項３３】  前記第１の評価手段はさらに情報信号を基準パイロットコードにより乗算する手段を具備している請求項３２記載の装置。
【請求項３４】  前記第２の評価手段は、
パイロットチャンネル評価にしたがって、情報信号のスカラー投影を生成し、スカラー情報信号を提供する手段と、
スカラー情報信号をデコードしてデコードされた信号を提供する手段と、
デコードされた信号をエンコードして、第１のデータ伝播信号の理想的な表示を提供する手段と、
情報信号を理想的な表示により乗算して、データチャンネル評価を行う手段とを具備している請求項１９記載の装置。
【請求項３５】  前記第２の評価手段はさらに、前記デコードの前にスカラー情報信号をデインターリーブする手段と、
前記乗算の前に理想的な表示をインターリーブする手段とを具備している請求項３４記載の装置。
【請求項３６】  情報信号を復調する装置において、情報信号はチャンネル特性を有するチャンネルを通って受信され、情報信号はパイロット信号と、第１のデータ伝播信号と、第２のデータ伝播信号とを含んでおり、前記装置は、
パイロットチャンネル信号に基づいてチャンネル特性の評価を行ってパイロットチャンネル評価を行うように構成されているパイロットチャンネル評価装置と、
第１のデータチャンネル信号に基づいてチャンネル特性の評価を行ってデータチャンネル評価を行うように構成されているデータチャンネル評価装置と、
前記パイロットチャンネル評価と前記データチャンネル評価とを組合わせて、組合されたチャンネル評価を生成するように構成されているチャンネル評価結合器とを具備している装置。
【請求項３７】  さらに、組合されたチャンネル評価に基づいて、情報信号の位相を変更し、サブチャンネルシンボル流を生成するように構成されている第１のドット積モジュールを具備している請求項３６記載の装置。
【請求項３８】  さらに、組合されたチャンネル評価にしたがって、情報信号のスカラー投影を生成するためのドット積モジュールを具備している請求項３６記載の装置。
【請求項３９】  さらに、情報信号を擬似雑音コードにより乗算するための擬似雑音デスプレッダを具備している請求項３６記載の装置。
【請求項４０】  擬似雑音デスプレッダは情報信号を複素数擬似雑音コードにより乗算するための複素数擬似雑音デスプレッダである請求項３９記載の装置。
【請求項４１】  前記データチャンネル評価装置は、パイロットチャンネル評価にしたがって情報信号のスカラー投影を生成してスカラー情報信号を提供するドット積モジュールを具備している請求項３６記載の装置。
【請求項４２】  前記データチャンネル評価装置はさらに、スカラー情報信号に基づいて第１のデータ伝播信号の理想的な表示を生成する手段を具備している請求項４１記載の装置。
【請求項４３】  前記データチャンネル評価装置はさらに、
スカラー情報信号をデインターリーブしてデインターリーブされた信号を提供するように構成されたデインターリーバと、
デインターリーブされた信号をインターリーブするように構成されたインターリーバとを具備している請求項４２記載の装置。
【請求項４４】  前記データチャンネル評価装置はさらに、
スカラー情報信号をデコードしてデコードされた信号を提供するように構成されたデコーダと、
デコードされた信号をエンコードするように構成されたエンコーダとを具備している請求項４２記載の装置。
【請求項４５】  さらに、パイロットチャンネル評価に遅延を導入して、パイロットチャンネル評価とデータチャンネル評価との間の同期を行う遅延手段を具備している請求項３６記載の装置。
【請求項４６】  前記チャンネル評価結合器は加重平均結合装置である請求項３６記載の装置。
【請求項４７】  前記チャンネル評価結合器は次式にしたがって組合されたチャンネル評価を行うように構成されている加重平均結合装置であり、
ＲCOMB＝Ｘ*ＲPILOT＋（１−Ｘ）*ＲDATA
ＩCOMB＝Ｘ*ＩPILOT＋（１−Ｘ）*ＩDATA
ここで、ＲCOMBとＩCOMBは結合されたチャンネル評価の実数成分および虚数成分であり、ＲPILOTとＩPILOTはパイロットチャンネル評価の実数成分および虚数成分であり、ＲDATAとＩDATAは基本チャンネル評価の実数成分および虚数成分であり、Ｘはスケーリング係数である請求項３６記載の装置。
【請求項４８】  前記加重平均結合器は、前記第１のデータ伝播信号の送信に使用される利得に対するパイロット信号の送信に使用される利得の比に基づいている値Ｘを使用するように構成されている請求項４７記載の装置。
【請求項４９】  さらに、値Ｘを前記加重平均結合器に与えるように構成されている制御プロセッサを具備している請求項４７記載の装置。
【請求項５０】  前記制御プロセッサは第１のデータ伝播信号のデータ速度に基づいて前記値Ｘを調節するように構成されている請求項４９記載の装置。
【請求項５１】  前記制御プロセッサは第１のデータ伝播信号のフレーム品質計量に基づいて前記値Ｘを調節するように構成されている請求項４７記載の装置。
【請求項５２】  前記パイロットチャンネル評価装置は情報信号を濾波して、パイロットチャンネル評価を行うフィルタを具備している請求項３６記載の装置。
【請求項５３】  前記パイロットチャンネル評価装置はさらに、情報信号を基準パイロットコードにより乗算するミキサを具備している請求項５２記載の装置。
【請求項５４】  前記データチャンネル評価装置は、
情報信号をパイロットチャンネル評価により乗算して、スカラー情報信号を提供するように構成されているドット積モジュールと、
スカラー情報信号をデコードしてデコードされた信号を提供するように構成されているデコーダと、
デコードされた信号をエンコードして、第１のデータ伝播信号の理想的な表示を提供するように構成されているエンコーダと、
情報信号を理想的な表示により乗算して、データチャンネル評価を行うミキサとを具備している請求項３６記載の装置。
【請求項５５】  前記データチャンネル評価装置はさらに、
スカラー情報信号をデインターリーブするように構成されたデインターリーバと、
理想的な表示をインターリーブするように構成されたインターリーバとを具備している請求項５４記載の装置。
【手続補正２】
【補正対象書類名】明細書
【補正対象項目名】００２３
【補正方法】変更
【補正の内容】
【００２３】
加入者局２は移動局として示されているが、無線モデム、無線ローカルループ加入者局、ＢＴＳまたは多数の同期サブチャンネルを送信する任意の他の無線通信装置であることもできる。受信機局４はＢＴＳとして示されているが、無線加入者局またはコヒーレントに多数のサブチャンネルを復調する任意の他の受信機であることができる。多数の送信を同時に受信する方法および装置は技術でよく知られている。例示的な実施形態では、加入者局２から送信された信号はＲＡＫＥ受信機を使用してＢＴＳ４において受信され、その構造は技術でよく知られており、前述の米国特許第5,109,390 号明細書に記載されている。
【手続補正３】
【補正対象書類名】明細書
【補正対象項目名】００３４
【補正方法】変更
【補正の内容】
【００３４】
当業者はＰＮスプレッダ122 が各入力信号に対して１つの複素数拡散信号を発生し、ＰＮスプレッダ122 の後および送信機124の前に相対的利得モジュール116 、118 、120 を配置させることが可能であることを認識するであろう。
【手続補正４】
【補正対象書類名】明細書
【補正対象項目名】００５３
【補正方法】変更
【補正の内容】
【００５３】
好ましい実施形態では、エンコーダ224 へ送信されたデコーダ212 の出力は付加的に制御プロセッサ216 へ送られる。制御プロセッサ216 は各受信されたデータフレームに対するフレーム速度情報を生成する。制御プロセッサ216 は各受信されたデータフレームの有効性検査も実行する。制御プロセッサ216 はその速度決定および有効性検査の結果に基づいて基本チャンネル品質計量値を生成する。基本チャンネル品質計量値はパイロットチャンネル評価に割当てられた加重係数に関連して基本チャンネル評価へ適切な加重係数を割当てるために使用される。基本チャンネル品質計量値はＣＲＣの正確性に基づく受信されたフレームの有効性に基づいて変化する。異なる速度のフレームはまた異なる数のＣＲＣビットを使用してもよく、またはフレームエラー検査保護の程度を変化してもよいので、制御プロセッサ216 は受信されたフレーム速度にしたがって基本チャンネル品質計量を付加的に変化してもよい。
【手続補正５】
【補正対象書類名】明細書
【補正対象項目名】００６０
【補正方法】変更
【補正の内容】
【００６０】
ウォルシュデスプレッダ236 への入力として使用されるＩおよびＱ成分サンプルは遅延素子232 を通って伝送され、この遅延素子232 はウォルシュデスプレッダ236 の出力をチャンネル評価結合装置230の出力と同期させるように作用する。遅延素子232 は本発明の技術的範囲を逸脱せずに、代わりにウォルシュデスプレッダ236 とドット積モジュール238 との間に位置されてもよい。ウォルシュデスプレッダ236 は送信機のウォルシュスプレッダ114 により使用されるウォルシュ関数ＷS を使用し、カバーが除かれた補足チャンネルのＩおよびＱ成分を生成する。これらのカバーが除かれた補足チャンネル成分はチャンネル評価結合装置230 からの結合されたチャンネル評価信号と共に、ドット積モジュール238 の入力として使用される。
【手続補正６】
【補正対象書類名】明細書
【補正対象項目名】００６１
【補正方法】変更
【補正の内容】
【００６１】
ドット積モジュール238 は補足チャンネル信号を結合されたチャンネル評価ベクトルへ投影する大きさを計算し、スカラー投影出力を生成する。ドット積モジュール238 の出力はその後、デインターリーバ240 でデインターリーブされ、このデインターリーバ240 はインターリーバ108 の逆の機能を行う。デインターリーバ240の出力はデコーダ242 へ与えられ、このデコーダ242 はインターリーバ104 の逆の機能を実行する。